(57)【要約】【課題】  無方向性赤外線リモコン発射装置の提供。【解決手段】  リモコンの状態を設定するリモコン機能設定モジュール、該リモコン機能設定モジュールからの信号を受け取るコントローラ、及び少なくとも二つの赤外線発射装置を具えた赤外線発射装置セットを具えた駆動回路を具え、該駆動回路が前述のコントローラの制御により該赤外線発射装置セットを駆動する。これにより赤外線リモコン発射装置の被制御装置に対する制御操作の便利性が高められている。【選択図】        図１
0003110032.tif 000002
【実用新案登録請求の範囲】
【請求項１】
リモコンの状態を設定するリモコン機能設定モジュールと、
該リモコン機能設定モジュールの信号を受け取るコントローラと、
少なくとも二つの赤外線発射装置を包含する赤外線発射装置セットを具え、前述のコントローラの制御により該赤外線発射装置セットを駆動する駆動回路と、
を具えたことを特徴とする、無方向性赤外線リモコン発射装置。
【請求項２】
請求項１記載の無方向性赤外線リモコン発射装置において、コントローラが電気的に検出装置に接続され、該検出装置が外界状態を検出し並びに検出データをコントローラに送ることを特徴とする、無方向性赤外線リモコン発射装置。
【請求項３】
請求項１記載の無方向性赤外線リモコン発射装置において、コントローラが電気的に表示装置に接続され、該表示装置が該無方向性赤外線リモコン発射装置の状態を表示することを特徴とする、無方向性赤外線リモコン発射装置。
【請求項４】
請求項１記載の無方向性赤外線リモコン発射装置において、赤外線発射装置セットが複数の赤外線発射装置を具え、これら赤外線発射装置の発射端が無方向性赤外線リモコン発射装置のケースの前端、左側、右側、上部、及び底部外側位置に対応することを特徴とする、無方向性赤外線リモコン発射装置。
【請求項５】
請求項１記載の無方向性赤外線リモコン発射装置において、リモコン機能設定モジュールが被制御装置の状態を制御、設定するための複数の機能設定ボタンを具えたことを特徴とする、無方向性赤外線リモコン発射装置。
【考案の詳細な説明】
【技術分野】
【０００１】
本考案は一種の無方向性赤外線リモコン発射装置に係り、特に、データ伝送に方向性がない赤外線リモコン発射装置に関する。
【背景技術】
【０００２】
赤外線リモコン発射装置は広く現代の家電製品に応用され、家電製品の各種状態、例えばクーラーの起動、切断、温度調整を制御するのに用いられている。
周知の赤外線リモコン発射装置は、赤外線発射装置が発射端に設けられ、リモコン使用時に、該赤外線発射装置の発射端を被制御装置に向けなければ、赤外線発射装置の発射した信号を被制御装置の赤外線受信端に受け取らせることができず、則ち赤外線受信端が信号を受け取ることができない。これにより、周知の赤外線リモコン発射装置は信号の発射、制御上不便である。
【考案の開示】
【考案が解決しようとする課題】
【０００３】
本考案は一種の無方向性赤外線リモコン発射装置を提供することを目的とし、それは、データ信号を被制御装置に取り付けられた赤外線受信端に伝送するための少なくとも二つの赤外線発射装置を具え、これにより、赤外線リモコン発射装置の被制御装置に対する制御操作の便利性が増されたものとする。
【０００４】
本考案のもう一つの目的は、一種の無方向性赤外線リモコン発射装置を提供することにあり、それは、リモコン機能設定モジュール、少なくとも一つの検出装置、コントローラ、及び駆動回路を具えたものとする。そのうち、リモコン機能設定モジュールは発射器制御ボード上に取り付けられて被制御装置の状態の制御の設定に用いられる。該検出装置は発射器制御ボードに取り付けられて外界状態の検出に用いられる。該コントローラはリモコン機能設定モジュールの設定信号を受け取り、並びに検出装置の検出したデータ信号を処理する。該駆動回路は赤外線発射装置セットを具え、該赤外線発射装置セットは少なくとも二つの赤外線発射装置を具え、該駆動回路は該コントローラの制御を受けて該赤外線発射装置セットを駆動し、空中に信号を発射させる。
【０００５】
本考案によると、赤外線発射装置セットは更に発射器制御ボードに取り付けられた複数の赤外線発射装置を具え、これら赤外線発射装置の発射端はそれぞれ赤外線リモコン発射装置のケースの前端、左側、右側、上部、及び底部の外側位置に対応し、複数及び広角度の信号発射に供され、無方向性赤外線リモコン発射装置の機能を達成する。
【０００６】
本考案はまた、赤外線リモコン発射装置に表示装置が設けられて前述のコントローラと電気的に接続され、該赤外線リモコン発射装置の状態の表示に用いられる。
【課題を解決するための手段】
【０００７】
請求項１の考案は、リモコンの状態を設定するリモコン機能設定モジュールと、
該リモコン機能設定モジュールの信号を受け取るコントローラと、
少なくとも二つの赤外線発射装置を包含する赤外線発射装置セットを具え、前述のコントローラの制御により該赤外線発射装置セットを駆動する駆動回路と、
を具えたことを特徴とする、無方向性赤外線リモコン発射装置としている。
請求項２の考案は、請求項１記載の無方向性赤外線リモコン発射装置において、コントローラが電気的に検出装置に接続され、該検出装置が外界状態を検出し並びに検出データをコントローラに送ることを特徴とする、無方向性赤外線リモコン発射装置としている。
請求項３の考案は、請求項１記載の無方向性赤外線リモコン発射装置において、コントローラが電気的に表示装置に接続され、該表示装置が該無方向性赤外線リモコン発射装置の状態を表示することを特徴とする、無方向性赤外線リモコン発射装置としている。
請求項４の考案は、請求項１記載の無方向性赤外線リモコン発射装置において、赤外線発射装置セットが複数の赤外線発射装置を具え、これら赤外線発射装置の発射端が無方向性赤外線リモコン発射装置のケースの前端、左側、右側、上部、及び底部外側位置に対応することを特徴とする、無方向性赤外線リモコン発射装置としている。
請求項５の考案は、請求項１記載の無方向性赤外線リモコン発射装置において、リモコン機能設定モジュールが被制御装置の状態を制御、設定するための複数の機能設定ボタンを具えたことを特徴とする、無方向性赤外線リモコン発射装置としている。
【考案の効果】
【０００８】
本考案の無方向性赤外線リモコン発射装置は、リモコンの状態を設定するリモコン機能設定モジュール、該リモコン機能設定モジュールからの信号を受け取るコントローラ、及び少なくとも二つの赤外線発射装置を具えた赤外線発射装置セットを具えた駆動回路を具え、該駆動回路が前述のコントローラの制御により該赤外線発射装置セットを駆動する。これにより赤外線リモコン発射装置の被制御装置に対する制御操作の便利性が高められている。
【考案を実施するための最良の形態】
【０００９】
図１は本考案の実施例の赤外線リモコン発射装置の電気回路図である。この実施例は本考案の実施範囲を限定するものではない。本考案の赤外線リモコン発射装置はこの実施例では自動温度制御ファンに応用されている。該赤外線リモコン発射装置はリモコン機能設定モジュール１０、検出装置２０、コントローラ３０、駆動回路４０、及び表示装置５０を具えている。
【００１０】
該リモコン機能設定モジュール１０はリモコンの状態を設定し、それは発射器制御ボードに取り付けられて、被制御装置の状態の制御設定に用いられ、複数の機能設定ボタンを具え、例えばＯＦＦ／ＯＮボタン１１はファンの起動或いは停止に用いられ、ＳＰＤボタン１２はファン風速の選択に用いられ、ＴＩＭＥボタン１３は全機の定時切断設定に用いられ、ＯＳＣボタン１４はファンの首振り設定に用いられ、ＭＯＤＥボタン１５は操作モードの選択設定に用いられ、ＴＥＭＰボタン１６は温度の設定或いは変更に用いられる。
【００１１】
該検出装置２０は発射器制御ボードに取り付けられ、外界状態を検出するのに用いられ、それは、少なくとも一つの検出部品２１を具え、該検出部品２１は赤外線リモコン発射装置の機能の必要により増設され、例えば温度制御機能の必要がある時は、該検出部品２１はサーミスタ或いは温度センサとされうる。或いはガス検出機能が必要な時は、該検出部品２１はガスセンサとされうる。
【００１２】
該コントローラ３０は赤外線発射装置セット４１を具え、該赤外線発射装置セット４１は更に複数の赤外線発射装置ＩＲ１、ＩＲ２、ＩＲ３、ＩＲ４、ＩＲ５を具え、該駆動回路４０は前述のコントローラ３０の制御により該赤外線発射装置セット４１を駆動し、空中に信号を発射させる。
【００１３】
該表示装置５０は前述のコントローラ３０と電気的に接続され、該赤外線リモコン発射装置の状態、例えば風速の強弱状態、定時停止時間設定状態、操作モード設定状態、温度設定状態等を表示する。
【００１４】
図２は本考案の実施例の赤外線リモコン発射装置の動作ブロック図である。リモコン機能設定モジュール１０の機能ボタン操作により起動の後、該検出装置２０が検出したデータは該コントローラ３０に送られてデータの比較が行なわれ、その後、該コントローラ３０がそのパラメータにより対応する電圧を駆動回路４０に送り、駆動回路４０の赤外線発射装置セット４１に強力な赤外線信号を空中に発射させる。
【００１５】
前述したように、赤外線発射装置セット４１は複数の赤外線発射装置ＩＲ１、ＩＲ２、ＩＲ３、ＩＲ４、ＩＲ５を具え、赤外線発射装置ＩＲ１、ＩＲ２、ＩＲ３、ＩＲ４、ＩＲ５の発射端は、赤外線リモコン発射装置のケースの前端、左側、右側、上部、及び底部等の外側位置に対応し、複数の及び広角度の赤外線信号を発射でき、無方向性赤外線リモコン発射装置の機能を達成する。当然、前述の赤外線信号内にはデータ信号が含まれ、被制御装置の赤外線受信端に提供される。
【００１６】
これにより、使用者は前述の単一の赤外線リモコン発射装置により、データ伝送に方向性のない赤外線リモートコントローラーの機能を達成でき、赤外線リモートコントローラーの制御操作の便利性が向上される。
【図面の簡単な説明】
【００１７】
【図１】本考案の実施例の赤外線リモコン発射装置の電気回路図である。
【図２】本考案の実施例の赤外線リモコン発射装置の動作ブロック図である。
【符号の説明】
【００１８】
１０  リモコン機能設定モジュール                ２０  検出装置
３０  コントローラ                              ４０  駆動回路
５０  表示装置                                  １１  ＯＦＦ／ＯＮボタン
１２  ＳＰＤボタン                              １３  ＴＩＭＥボタン
１４  ＯＳＣボタン                              １５  ＭＯＤＥボタン
１６  ＴＥＭＰボタン                            ２１  検出部品
４１  赤外線発射装置セット
【図１】
0003110032.tif 000003
【図２】
0003110032.tif 000004